(57)【特許請求の範囲】
【請求項１】
断面凹溝状のプレキャストコンクリート梁本体の内面および底面の長さ方向に沿ってトラス筋が配筋され、該トラス筋の一部が内面および底面に対して所定の角度をもって一方側に傾斜させて突出し、トラス筋の他の一部がプレキャストコンクリート梁本体内に埋設され、上部がプレキャストコンクリート梁本体上面から突出したあばら筋に接合されたことを特徴とするプレキャストコンクリート梁。
【請求項２】
プレキャストコンクリート梁本体の底面または側面には、長さ方向に沿った貫通溝が開口されたことを特徴とする請求項１に記載のプレキャストコンクリート梁。
【請求項３】
適宜間隔ごとに設置されたあばら筋を、内側に配筋したトラス筋で連接したあばら筋ユニットを形成し、該あばら筋ユニットの一側面側を型枠のコンクリート内に埋め込んで前記トラス筋の一部が突出した第１の外殻部を形成し、該第１の外殻部と隣接したあばら筋ユニットを型枠のコンクリート内に埋め込んで第１の外殻部に一体接合した前記トラス筋の一部が突出した第２の外殻部を形成した後、該第２の外殻部に隣接したあばら筋ユニットを型枠のコンクリート内に埋め込んで第２の外殻部に一体接合した前記トラス筋の一部が突出した第３の外殻部を形成して前記トラス筋の一部が内面側に突出された断面凹溝状のプレキャストコンクリート梁を製造することを特徴とするプレキャストコンクリート梁の製造方法。
【発明の詳細な説明】
【０００１】
【発明の属する技術分野】
本発明はプレキャストコンクリート梁に関するものである。
【０００２】
【従来の技術】
断面凹溝状のプレキャストコンクリート梁として、特公平５−３２５４４号公報の発明がある。このようなプレキャストコンクリート梁は、後打ちコンクリートとの一体性を確保するためのコッタが内面に形成されている。このコッタは外型枠の内側に設置した内型枠で形成されている。
【０００３】
【発明が解決しようとする課題】
しかし、上記のプレキャストコンクリート梁はあばら筋が上部から突出しているため、内型枠の設置と解体とが非常に困難で、かつコッタの形成も非常に手間のかかる作業になっていた。
【０００４】
本発明はこれらの問題に鑑みてなされたものであり、その目的は、簡単に形成できる断面凹溝状のプレキャストコンクリート梁およびその製造方法を提供することである。
【０００５】
【課題を解決するための手段】
以上の課題を解決するためのプレキャストコンクリート梁は、断面凹溝状のプレキャストコンクリート梁本体の内面および底面の長さ方向に沿ってトラス筋が配筋され、該トラス筋の一部が内面および底面に対して所定の角度をもって一方側に傾斜させて突出し、トラス筋の他の一部がプレキャストコンクリート梁本体内に埋設され、上部がプレキャストコンクリート梁本体上面から突出したあばら筋に接合されたことを特徴とする構成であり、プレキャストコンクリート梁本体の底面または側面には、長さ方向に沿った貫通溝が開口されたことを含むものである。
またプレキャストコンクリート梁の製造方法は、適宜間隔ごとに設置されたあばら筋を、内側に配筋したトラス筋で連接したあばら筋ユニットを形成し、該あばら筋ユニットの一側面側を型枠のコンクリート内に埋め込んで前記トラス筋の一部が突出した第１の外殻部を形成し、該第１の外殻部と隣接したあばら筋ユニットを型枠のコンクリート内に埋め込んで第１の外殻部に一体接合した前記トラス筋の一部が突出した第２の外殻部を形成した後、該第２の外殻部に隣接したあばら筋ユニットを型枠のコンクリート内に埋め込んで第２の外殻部に一体接合した前記トラス筋の一部が突出した第３の外殻部を形成して前記トラス筋の一部が内面側に突出された断面凹溝状のプレキャストコンクリート梁を製造することを特徴とする構成である。
【０００６】
プレキャストコンクリート梁本体の内面および底面から突出したトラス筋により後打ちコンクリートとの一体性が確保できる。またトラス筋は後打ちコンクリート内に深く埋設されるので、一体性の確保がコッタよりも大きくなる。またトラス筋によって内面にコッタを形成する必要がなくなった。あばら筋ユニットの一部ずつを型枠のコンクリートに埋め込んで外殻部を一つずつ形成するので、内型枠を必要とせずに断面凹溝状のプレキャストコンクリート梁が形成できる。
【０００７】
【発明の実施の形態】
以下、本発明のプレキャストコンクリート梁（以下ＰＣ梁という）およびその製造方法の実施の形態について説明する。はじめに、ＰＣ梁について説明し、次いでＰＣ梁の製造方法について説明する。また各実施の形態において同じ構成は同じ符号を付して説明し、異なった構成にのみ異なった符号を付して説明する。
【０００８】
図１は第１の実施の形態のＰＣ梁１である。このＰＣ梁１は断面ほぼＵ字形または断面コ字形を上向きにした形のプレキャストコンクリート梁本体（以下ＰＣ梁本体）２の内側の側面および内側の底面の長さ方向に沿ってトラス筋３が配筋され、その一部が側面および底面から突設して構成されている。
【０００９】
このトラス筋３は、三角形状に配置された一本の上端筋４と二本の下端筋５とが波形のラチス筋６で接合した三角トラスであり、下端筋５側がコンクリート７内に埋設されて、上部がＰＣ梁本体の上面から突出されたあばら筋１６に接合されている。このように両側面に４本、底面に１本の合計５本のトラス筋３によって、後打ちコンクリートとの一体性を確保することができる。またトラス筋３は、上記とは反対に上端筋４側をコンクリート７内に埋設した逆Ｖ字形の配筋にすることもできる。さらにトラス筋３は側面および底面に対して垂直に突設されているが、側面および底面に対して所定の角度をもって一方側に傾斜させて突設させることもできる。なお、トラス筋３は上記の本数に限らず、これ以上またはこれ以下であってもよい。
【００１０】
また図３は第２の実施の形態のＰＣ梁８である。このＰＣ梁８は底面のトラス筋３を、一本の上端筋４と一本の下端筋５がラチス筋６で接合されたいわゆるシングルトラスにしたことであり、これ以外は第１の実施の形態のＰＣ梁１と同じ構成である。
【００１１】
また図４は第３の実施の形態のＰＣ梁９である。このＰＣ梁９は底部の一方の隅部に長さ方向に沿った貫通溝１０を開口したものであり、これ以外は第１の実施の形態のＰＣ梁１と同じ構成である。この貫通溝１０によって片側に形成される壁との一体性を図ることができる。
【００１２】
また図５は第４の実施の形態のＰＣ梁１１である。このＰＣ梁１１は底面の中央部に上記と同じ貫通溝１０を形成したものであり、これ以外は第２の実施の形態のＰＣ梁８と同じ構成であり、同じ効果を奏するものである。
【００１３】
また図６は第５の実施の形態のＰＣ梁１２である。このＰＣ梁１２は底面が形成されないものであり、これ以外は第２の実施の形態のＰＣ梁８と同じ構成である。このＰＣ梁１２は壁梁の形成に使用される。
【００１４】
また図７は第６の実施の形態のＰＣ梁１３である。このＰＣ梁１３は一側面の下部に上記と同じ貫通溝１０を設けたものであり、これ以外は第１の実施の形態のＰＣ梁１と同じ構成である。この貫通溝１０によってＰＣ床板１４との一体性を確保することができる。
【００１５】
なお、上記の開口溝は上部側または下部側に向かって漸次狭くなるように形成して、壁との一体性をさらに強固にすることもできる。
【００１６】
次に、第１の実施の形態のＰＣ梁１の製造方法について説明する。まず、あばら筋がトラス筋で適宜間隔ごとに接続されたあばら筋ユニット１５を形成する。このあばら筋ユニット１５は、適宜間隔をもって配筋されたあばら筋１６の底面に１本、両側面に２本のトラス筋３がそれぞれ配筋され、上部にのみトラス筋３が配筋されていない構成である。
【００１７】
次に、図８に示すように、トラス筋３が配筋されたあばら筋ユニット１５の一側面側を、型枠１７に打設されたコンクリート１８内に埋め込む。そして、このコンクリート１８が硬化した後に型枠１７を解体すると、第１の外殻部１９があばら筋ユニット１５に一体形成される。
【００１８】
次に、図９に示すように、第１の外殻部１９が一体形成されたあばら筋ユニット１５を回転させて縦方向にし、第１の外殻部１９に隣接したあばら筋ユニット１５、すなわち底面側を型枠１７に打設されたコンクリート１８内に埋め込む。そして、このコンクリート１８が硬化した後に型枠１７を解体すると、第１の外殻部１９に一体接合された第２の外殻部２０が形成される。
【００１９】
次に、図１０に示すように、トラス筋３が配筋されたあばら筋ユニット１５の他の側面側を型枠１７に打設されたコンクリート１８内に埋め込む。そして、このコンクリート１８が硬化した後に型枠１７を解体すると、第２の外殻部２０に一体接合された第３の外殻部２１が形成されて、図１に示すような、内面側にトラス筋３が突設されたＰＣ梁１が形成される。したがって、内型枠を使用することなく、ＰＣ梁１を簡単に形成でき、しかも内面側にトラス筋３が突出させることができる。
【００２０】
【発明の効果】
内面側にトラス筋を突設した断面凹溝状のＰＣ梁が簡単に形成できる。
【００２１】
断面凹溝状のＰＣ梁の内面側にトラス筋を突設することができる。
【図面の簡単な説明】
【図１】第１の実施の形態のＰＣ梁の横方向の断面図である。
【図２】第１の実施の形態のＰＣ梁の縦方向の断面図である。
【図３】第２の実施の形態のＰＣ梁の縦方向の断面図である。
【図４】第３の実施の形態のＰＣ梁の縦方向の断面図である。
【図５】第４の実施の形態のＰＣ梁の縦方向の断面図である。
【図６】第５の実施の形態のＰＣ梁の縦方向の断面図である。
【図７】第６の実施の形態のＰＣ梁の縦方向の断面図である。
【図８】あばら筋ユニットの一側面側を型枠のコンクリート内に埋め込んだ断面図である。
【図９】あばら筋ユニットの底面側を型枠のコンクリート内に埋め込んだ断面図である。
【図１０】あばら筋ユニットの他側面側を型枠のコンクリート内に埋め込んだ断面図である。
【符号の説明】
１、８、９、１１、１２、１３  ＰＣ梁
２  ＰＣ梁本体
３  トラス筋
４  上端筋
５  下端筋
６  ラチス筋
７  コンクリート
１０  貫通溝
１４  ＰＣ床板
１５  あばら筋ユニット
１６  あばら筋
１７  型枠
１８  コンクリート
１９  第１の外殻部
２０  第２の外殻部
２１  第３の外殻部
【図１】
0003691033.tif 000002
【図２】
0003691033.tif 000003
【図３】
0003691033.tif 000004
【図４】
0003691033.tif 000005
【図５】
0003691033.tif 000006
【図６】
0003691033.tif 000007
【図７】
0003691033.tif 000008
【図８】
0003691033.tif 000009
【図９】
0003691033.tif 000010
【図１０】
0003691033.tif 000011